(57)【特許請求の範囲】
【請求項１】
キッチン台上に設置され、連続的に供給される水を電解してアルカリ水と酸性水を生成するキッチン台下のビルトイン型電解整水器の給排水カラン装置において、該カラン装置７が、取水アーム１７を設けて電解整水器の一方の利用側電解水排水管に接続される主カラン７ａと、アーム１３の内部に電解整水器の他方の非利用側電解水排水管に接続される排水パイプ９を通し且つこのアーム１３に電解整水器の電気制御操作盤１０を一体に取り付けた補助カラン７ｂとを各々独立に具備することを特徴とするビルトイン型電解整水器の排水カラン装置
【請求項２】
主カラン７ａの取付けベースプレート１２に補助カラン７ｂを一体に取り付けたことを特徴とする請求項１記載のビルトイン型電解整水器の排水カラン装置
【請求項３】
主カラン７ａと補助カラン７ｂが共通のケーシング２４で一体に構成されていることを特徴とする請求項１記載のビルトイン型電解整水器の排水カラン装置
【請求項４】
主カラン７ａと補助カラン７ｂがキッチン台の離れた位置に配設されている事を特徴とする請求項１記載のビルトイン型電解整水器の排水カラン装置
【発明の詳細な説明】
【０００１】
【発明の利用分野】
この発明はキッチン台下に設置されたビルトイン型電解整水器の給排水カラン装置に関する。
【０００２】
【発明が解決しようとする課題】
水を電解してアルカリイオン水と酸性水を生成する連続通水式の電解整水器をキッチン台下に設置し、生成されたアルカリイオン水をキッチン台上の蛇口カランから取水するようにしたビルトイン型（アンダーシンク型）電解整水器が知られている。
【０００３】
この種の電解整水器は、従来、電解によって生成される非利用側の酸性水や逆電洗浄排水などの洗浄水をキッチン台下からドレンへ排水していたため、排水用の配管工事が必要となり、コスト高の一因になっていた。
【０００４】
また、従来の電解整水器用カランは、利用側電解水を取り出す主カランに電解整水器の電気制御操作盤が取り付けられているため、主カランから通常の水や湯水混合水を排水するようにすることが困難であった。
【０００５】
また、電解整水器は電解ＯＮ、ＯＦＦ切換スイッチや逆電洗浄操作スイッチ各種表示ランプなどの操作盤が使用されるが、従来は蛇口カランから離れた壁などに設置していたため、蛇口カランに接近した手元操作ができないという不便があり、また、操作盤の電気制御コード類が露出しているため邪魔になるという不都合もあった。
【０００６】
従って、本発明の目的は、非利用側の電解水や洗浄排水の配管を不要にするとともに、従来、捨てていた非利用側の電解水をキッチン台上で利用することができるようにした電解整水器の排水カラン装置を提供することにある。
【０００７】
本発明の他の目的は、電解整水器に付属しているカランと交換して使用できるカラン装置を提供することにある。
【０００８】
【課題を解決するための手段】
上記の目的を達成するために、本発明は、キッチン台上に設置され、連続的に供給される水を電解してアルカリ水と酸性水を生成するキッチン台下のビルトイン型電解整水器の排水カラン装置において、該カラン装置７が、取水アーム１７を設けて電解整水器の一方の利用側電解水排水管に接続される主カラン７ａと、アーム１３の内部に電解整水器の他方の非利用側電解水排水管に接続される排水パイプ９を通じ且つこのアーム１３に電解整水器の電気制御操作盤１０を一体に取り付けた補助カラン７ｂとを各々独立に具備することを特徴とする。主カラン７ａと補助カラン７ｂは共通の取付ベースプレート１２に組付けてもよく、また、主カラン７ａと補助カラン７ｂを共通のケーシング２４で一体に構成してもよい。さらには、主カラン７ａと補助カラン７ｂをキッチン台の離れた場所に設置してもよい。
【０００９】
【作用】
上記の構成により、電解整水器の非利用側電解水排水管を補助カランの下端に突出する排水パイプに接続するだけで酸性水や逆電洗浄水の排水回路が構成される。
【００１０】
また、主カランの近傍に補助カランが設置され、この補助カランに操作盤が取付けられているので、主カランは必ずしも電解整水器に専用のものを使用しなくともよい。
【００１１】
【実施例】
以下、本発明の実施例を添付図面に基づいて説明する。
図中、１はキッチン台、２はキッチン台１の上の流し場、３はこのキッチン台１下に設置された連続式電解整水器であり、この電解整水器３は給水管４から供給される水道水などを電解してアルカリイオン水と酸性水を生成し、アルカリイオン水排水管路５と酸性水排水管路６から各別に排水するものである。
【００１２】
図中、参照数字７は、キッチン台１に取り付けられる本発明の排水カラン装置であって、このカラン装置７は、水道水供給管８と電解整水器３への前記給水管路４と電解整水器３からのアルカリイオン水排水管路５の３本のパイプが接続される主カラン７ａと；電解整水器３からの酸性水管路６が接続される排水パイプ９と電解整水器３の電気制御操作盤１０を一体に保持した補助カラン７ｂと；を具備し、主カラン７ａと補助カラン７ｂの双方がキッチン台に設置される構成になっている。
【００１３】
図１及び図２の実施例は、主カラン７ａと補助カラン７ｂを共通の取付ベースプレート１２に取り付ける場合を例示しているが、図３のように、主カラン７ａと補助カラン７ｂを共通のケーシング２４で一体に構成してもよい。さらには、図は省略したが、主カラン７ａと補助カラン７ｂの取付けベースを別体にしてキッチン台の別の場所に離して取付けてもよい。
【００１４】
補助カラン７ｂは本体部に電気整水器３の電気制御操作盤１０を一体に具備している。すなわち、図１の実施例は、補助カラン７ｂの内部に酸性水排水管路６を接続する排水パイプ９を通して一体固定するとともに、排水パイプ９を通した補助カラン７ｂのアーム１３に前記電気制御操作盤１０を上向きにして一体に組付けてある。
【００１５】
なお、電気制御操作盤１０の配置は、図２の実施例のように補助カラン７ｂに前記操作盤１０をたて方向に一体に組付け操作盤１０の操作面が手前に向くように配設してもよい。
【００１６】
操作盤１０には電解整水器３のＯＮ、ＯＦＦ切換スイッチ、逆電洗浄スイッチ、電解表示ランプ、洗浄時期表示ランプ、洗浄表示ランプ、電源ランプなどの部材１４が組付けられており、これら部材の制御用電気コード１５は一束にして前記排水パイプ９と共に補助カラン７ｂの内部を通して下方に引き出され、電解整水器３の所定部所に接続されるようになっている。
【００１７】
主カラン７ａは原水供給管路８と電解整水器３の給水管４及びアルカリイオン水排水管５に連通する各々の流路を切換えるバルブ機構を内蔵しており、バルブ操作レバー１６により回動自在の取水アーム１７のアルカリ水出口１８からアルカリイオン水を、また上水出口１９から水道水などの水を選択的に吐水するようになっている。
【００１８】
キッチン台１へのカラン装置の取付けは図１のように、キッチン台１に主カラン７ａと補助カラン７ｂの２個の取付孔をもうけ、この取付孔に主カラン７ａと補助カラン７ｂの基部を挿入し、キッチン台１の下からナット２２、２３を締め付けて固定する。
なお、図中、２０ａ乃至２０ｄは管接続具、２１は電解整水器３の電気制御装置である。
【００１９】
また、図の実施例は主カラン７ａにアルカリイオン水排水管５を接続し、補助カラン７ｂに酸性水排水管を接続したアルカリ水利用の場合を例示したが、酸性水を目的とするときは上記の配管接続を逆にすることはもちろんである。
【００２０】
【効果】
本発明は利用側電解水排水用の主カランを取り付けたキッチン台に補助カランを設置することができるとともに、この補助カランの排水パイプに電解整水器の非利用側電解水排管路を接続するだけで、キッチン台への非利用側電解水及び逆電洗浄水の排水回路が構成され、排水パイプの先端から流出する非利用側の電解水や洗浄水を流し場から流すことができるので、従来のようなキッチン台下のドレン排水用の配管が不要になる。
また、非利用側の電解水を流し場で回収することもできるので例えば酸性水を洗顔水として利用する場合に便利である。
【００２１】
電気制御操作盤がカラン装置の手元に設置されるので使い勝手が良くなるとともに、コード類がカラン装置の内部に収納されるので配線が邪魔にならず、コンパクトになる。
【００２２】
非利用側の電解水を排水する補助カランに電解操作盤を取り付けたことにより、利用側の主カランは電解整水器専用のカランに限らず、浄水や湯水混合水栓を使用してこれに利用側の電解水排水管路を組込むことも可能になる。
【００２３】
主カランと補助カランを共通のケーシングに一体にしたものは、運搬や取扱いに便利であるほか、キッチン台への取付が一工程ですみ簡略になる。
【図面の簡単な説明】
【図１】本発明の実施例による電解整水器用排水カラン装置の概略構成図
【図２】本発明の他の実施例による電解整水器用排水カラン装置の概略構成図
【図３】本発明の他の実施例による電解整水器用排水カラン装置の概略構成図
【符号の説明】
１…キッチン台、  ２…流し場、  ３…電解整水器、  ４…給水管、  ５…アルカリイオン水排水管、  ６…酸性水排水管、  ７…給排水カラン装置、  ７ａ…主カラン、  ７ｂ…補助カラン、  ８…水道水供給管、  ９…排水パイプ、  １０…電気制御操作盤、  １２…取付ベースプレート、  １３…アーム、  １４…操作・表示部材、  １５…電気コード、  １６…バルブ操作レバー、  １７…取水アーム、  １８…利用側電解水出口、  １９…上水出口、  ２０ａ乃至２０ｄ…管接続具、  ２１…電気制御装置、  ２２、２３…ナット、  ２４…ケーシング。
【図１】
0003619281.tif 000002
【図２】
0003619281.tif 000003
【図３】
0003619281.tif 000004